(57)【要約】本発明は、各種内容物を入れて使用する蓋自動開閉方式の容器を開示する。このために、本発明は、外部容器（１０）と、前記外部容器の内部に挿設され、テンション部材（７０）により上下に弾性移動可能な内部容器（２０）と、前記内部容器（２０）の内部に挿設され、外部容器（１０）と固定結合される内容物容器（３０）と、前記外部容器の上部に結合される本体（４１）の上部中央に穿設される内容物供給孔（４２）を有し、前記内容物供給孔の上部に設置される開閉具（４３）を内部容器（２０）の昇降に連動して上下に軸回転させて内容物供給孔を開閉作動させる上部蓋（４０）と、前記外部容器の下部に固定結合される上部固定部材（５１）の下部に内部容器（２０）と共に上下移動する下部作動部材（５５）を結合した下部受け台（５０）とを含んでなり、前記外部容器（１０）を床から持ち上げるときには、内部容器（２０）がテンション部材（７０）によって下部に下降移動し、前記外部容器を床に下ろすときには、テンション部材（７０）を圧縮して上昇復帰することにより、上部蓋の開閉具（４３）が内容物供給孔（４２）を自動で開閉作動させるので、別途の蓋の開閉作動を行うことなく使用することができるため、優れた使用上便利性および衛生性を提供するという効果がある。【選択図】図１
2019535599.tif 000002
【特許請求の範囲】
【請求項１】
中空の外部容器（１０）と、
前記外部容器の内部に挿設され、外部容器（１０）との間にテンション部材（７０）を挿設して上下に弾性移動可能な内部容器（２０）と、
前記内部容器（２０）の内部に挿設され、外部容器（１０）と固定結合され、内部に内容物が充填される内容物容器（３０）と、
前記外部容器の上部に結合されるドーム状構造の本体（４１）の上部中央に穿設されて内容物容器の内容物を供給する内容物供給孔（４２）を有し、前記内容物供給孔の上部に設置される開閉具（４３）を内部容器（２０）の昇降に連動して開閉具作動部（４４）によって上下に軸回転させて内容物供給孔を開閉作動させる上部蓋（４０）と、
前記外部容器の下部に固定結合される上部固定部材（５１）の下部に内部容器（２０）と共に上下移動する下部作動部材（５５）を結合した下部受け台（５０）とを含んでなり、
前記外部容器（１０）を床から持ち上げるときに内部容器（２０）がテンション部材（７０）により下部に下降移動し、前記外部容器を床に下ろすときにテンション部材（７０）を圧縮して上昇復帰することにより、上部蓋の開閉具（４３）が内容物供給孔（４２）を自動で開閉作動させることを特徴とする、蓋自動開閉方式の容器。
【請求項２】
前記内容物容器（３０）は、上部に吐出口（３２）を突設し、前記吐出口（３２）が外部容器（１０）の上部中央の結合孔（１２）に挿入されて固定結合するように構成し、
前記開閉具（４３）には内容物供給孔（４２）の位置にシーリングキャップ（４５）を結合し、前記内容物供給孔（４２）と内容物容器の吐出口（３２）にはシーリングキャップ（４５）と互いに気密作動するようにリング状のシーリング部材（３３）が挿入されて結合構成されることを特徴とする、請求項１に記載の蓋自動開閉方式の容器。
【請求項３】
前記上部蓋（４０）の開閉具作動部（４４）は、開閉具の回転中心位置に設けられた軸孔（４３ａ）に軸ピン（４３ｂ）を軸結合し、前記軸ピンには一側は本体（４１）に固定され且つ他側は開閉具（４３）に固定されるトーションばね（４６）を挿設することにより、開閉具（４３）が下方向に弾性回転作動するように構成し、
前記開閉具（４３）は、内部容器（２０）の上端のストッパ（２３）によって弾性支持するように構成され、内部容器（２０）の上下移動に応じて連動して軸回転するように構成されることを特徴とする、請求項１に記載の蓋自動開閉方式の容器。
【請求項４】
前記上部蓋（４０）の開閉具（４３）は、本体（４２）の上部から一側の下部に形成されるガイド溝部に挿入案内されるように設置構成されることを特徴とする、請求項１に記載の蓋自動開閉方式の容器。
【請求項５】
前記下部受け台（５０）の下部作動部材（５５）は、上部中央に挿入管部（５６）を設け、前記挿入管部の外側の円周上の等角な位置にガイド突起（５７）を設けることにより、前記上部固定部材（５１）の中央の挿入孔（５２）と挿入孔の外側の円周上に設けられたガイド孔（５３）に昇下降案内されるように結合し、前記ガイド突起の一側に突設されたストップ突起部（５７ａ）と前記上部固定部材の内側の隔壁（５４）に垂直形成されてストップ突起部が垂直案内される垂直案内溝部（５４ａ）によって昇降案内距離を制限するように構成されることを特徴とする、請求項１に記載の蓋自動開閉方式の容器。
【請求項６】
前記垂直案内溝部（５４ａ）の上部には、円周方向に水平延長されるロック溝（５４ｂ）を連結形成してストップ突起部（５７ａ）をロック溝に挿入位置させることにより、上部固定部材と下部作動部材の昇降作動を制限するように構成されることを特徴とする、請求項５に記載の蓋自動開閉方式の容器。
【請求項７】
前記下部受け台（５０）の下部作動部材（５５）には底面に吸着板（６１）を組立設置し、前記吸着板の上部中央に吸着孔（６２）を設けることにより、外部容器を床に下ろすときには、内容物容器の下部に結合されるローキャップの作動突起（３６）が吸着孔（６２）に挿入されて吸着作動し、外部容器を床から持ち上げるときには、ローキャップの作動突起（３６）が吸着孔（６２）から離脱して吸着解除作動するように構成されることを特徴とする、請求項１に記載の蓋自動開閉方式の容器。
【請求項８】
前記ローキャップ（３５）の下部には作動突起（３６）の外側に案内管部（３７）を突設することにより、該案内管部が下部作動部材の挿入管部（５６）に挿入されて昇下降案内作動し、前記案内管部（３７）の外側に上下方向の切欠溝（３７ａ）を等角に形成して構成されることを特徴とする、請求項７に記載の蓋自動開閉方式の容器。
【発明の詳細な説明】
【技術分野】
【０００１】
本発明は、各種内容物を入れて使用する容器に関し、より詳細には、容器を床から持ち上げると上部蓋が自動開放され、使用後に容器を床に再び下ろすと上部蓋が自動閉鎖されることにより、別途蓋の開閉作動を行うことなく使用できるので、使用上の便利性、衛生性に優れた蓋自動開閉方式の容器に関する。
【背景技術】
【０００２】
一般に、液状、ゲル状、粉末状の各種内容物を包装する場合、主に容器に入れて包装している。
【０００３】
このような容器は、容器本体と、前記容器本体の上部に結合されて開閉に使用する上部蓋とから構成される。
【０００４】
このような従来の容器は、内容物を取り出して使用する場合に容器本体上部の上部蓋を開放するか上部蓋に設けられる別の開閉具を開放して内容物を取り出して使用する。
【０００５】
すなわち、従来では、ユーザーが容器の上部蓋または上部蓋の開閉具を別に開放して内容物を取り出して使用し、使用後には上部蓋または上部蓋の開閉具を再び閉鎖する作動が求められるので、内容物を取り出して使用することが非常に不便であるという問題点があった。
【０００６】
特に、化粧品などの内容物を入れて使用する場合、内容物の使用後に上部蓋または開閉具を再び閉鎖するとき、手に付いた化粧品により容器の取り扱い時に滑って、上部蓋または開閉具を再び閉鎖する作動がさらに不便であるのはもとより、容器の外部に化粧品が付いて汚染される非衛生的な問題点もあった。
【０００７】
かかる問題点を改善するために、容器の内容物を自動で取り出して使用する技術が開示されているが、例えば、容器蓋の流出口の内部側に引張コイルばねと圧縮コイルばねによって相互反対に作動する一対のボール弁を設け、使用の際に容器を持ち上げて加圧すると、加圧力によって弁が自動開放されて内容物が流出し、容器の加圧力を解除すると、弁が閉鎖されるのはもとより、立てて流出口内の残留内容物が容器の内部へ再び流入するようにして、使用上便利性を改善した。
【０００８】
しかし、前記容器は、容器を持ち上げて加圧すると、その加圧力によって弁が開放されて内容物を取り出して使用し、容器の加圧力を解除した後に再び立てて置くと、弁が閉鎖されるため、容器を持ちあげる動作とは別に容器を加圧する作動によって弁を開放使用する半自動で開閉使用するので、使用上便利性が制限されるという問題点があった。
【０００９】
また、前述した容器は、床に立てて使用中またはカバンなどに収納して保管、運ぶときに容器が簡単に倒れる問題、およびユーザーの意図とは関係なく容器に外力が加わることによって弁が開放され、内容物が不要に流出する恐れがあり、これを防止するための別途技術はないという問題点があった。
【００１０】
従来の提示された先行技術としては、韓国登録実用新案第２０−００１８４７８号公報、韓国登録実用新案第２０−００６７８１２号公報および韓国公開特許第１０−２００６−００３５５３１号公報が挙げられる。
【先行技術文献】
【特許文献】
【００１１】
【特許文献１】韓国登録実用新案第２０−００１８４７８号公報
【特許文献２】韓国登録実用新案第２０−００６７８１２号公報
【特許文献３】韓国公開特許第１０−２００６−００３５５３１号公報
【発明の概要】
【発明が解決しようとする課題】
【００１２】
本発明は、かかる従来技術の諸般問題点を解決するためになされたもので、その目的は、容器を床から持ち上げると上部蓋が自動開放され、使用後に容器を床に再び下ろすと、上部蓋が自動閉鎖されるため別途蓋の開閉作動を行うことなく使用することができ、優れた使用上便利性、衛生性を提供することにある。
【００１３】
本発明の他の目的は、ロック機能によって上部蓋の自動開放作動を制限し、容器の携帯、保管時に内容物の流出を防止して安全に使用することができるようにすることにある。
【００１４】
本発明の別の目的は、容器の底部に吸着板を付加設置し、容器を床から持ち上げると吸着が自動解除され、床に再び下ろすと吸着が自動作動するため使用が便利であるのはもとより、容器が横になるか倒れて内容物が流出する恐れを防止するようにすることにある。
【課題を解決するための手段】
【００１５】
このような本発明は、中空の外部容器と；前記外部容器の内部に挿設され、外部容器との間にテンション部材を挿設して上下に弾性移動可能な内部容器と；前記内部容器の内部に挿設され、外部容器と固定結合され、内部に内容物が充填される内容物容器と；前記外部容器の上部に結合されるドーム状構造の本体の上部中央に穿設されて内容物容器の内容物を供給する内容物供給孔を有し、前記内容物供給孔の上部に設置される開閉具を内部容器の昇降に連動して開閉具作動部により上下に軸回転させて内容物供給孔を開閉作動させる上部蓋と；前記外部容器の下部に固定結合される上部固定部材の下部に内部容器と共に上下移動する下部作動部材を結合した下部受け台と；を含んでなり、前記外部容器を床から持ち上げるときには、内部容器がテンション部材により下部に下降移動し、床に下ろすときには、テンション部材を圧縮して上昇復帰することにより、上部蓋の開閉具が内容物供給孔を自動で開閉作動させることにその特徴がある。
【００１６】
本発明によれば、前記内容物容器は、上部に吐出口を突設し、前記吐出口が外部容器の上部中央の結合孔に挿入されて固定結合するように構成し、前記開閉具には内容物供給孔の位置にシーリングキャップを結合し、前記内容物供給孔と内容物容器の吐出口にはシーリングキャップと互いに気密作動するようにリング状のシーリング部材が挿入されて結合構成することにその特徴がある。
【００１７】
本発明によれば、前記上部蓋の開閉具作動部は、開閉具の回転中心位置に設けられた軸孔に軸ピンを軸結合し、前記軸ピンには一側は本体に固定され且つ他側は開閉具に固定されるトーションばねを挿設することにより、開閉具が下方向に弾性回転作動するように構成し、前記開閉具は、内部容器の上端のストッパによって弾性支持するように構成され、内部容器の上下移動に応じて連動して軸回転するように構成することにその特徴がある。
【００１８】
本発明によれば、前記上部蓋の開閉具は、本体の上部から一側の下部に形成されるガイド溝部に挿入案内されるように構成することにその特徴がある。
【００１９】
本発明によれば、前記下部受け台の下部作動部材は、上部中央に挿入管部を設け、前記挿入管部の外側の円周上の等角な位置にガイド突起を突設して前記上部固定部材の中央の挿入孔と挿入孔の外側の円周上のガイド孔に昇降案内されるように結合し、前記ガイド突起の一側に突設されたストップ突起部と前記上部固定部材の内側の隔壁に垂直形成されてストップ突起部が垂直案内される垂直案内溝部によって昇降案内距離を制限するように構成することにその特徴がある。
【００２０】
本発明によれば、前記垂直案内溝部の上部には円周方向に水平延長されるロック溝を連結形成してストップ突起部をロック溝に挿入位置させることにより、上部固定部材と下部作動部材の昇降作動を制限するように構成することにその特徴がある。
【００２１】
本発明によれば、前記下部受け台の下部作動部材には底面に吸着板を組み立てて設置し、前記吸着板の上部中央に吸着孔を形成して、外部容器を床に下ろすとき、内容物容器の下部に結合されるローキャップの作動突起が吸着孔に挿入されて吸着作動するか、外部容器を床から持ち上げるとき、ローキャップの作動突起が吸着孔から離脱して吸着解除作動するように構成することにその特徴がある。
【００２２】
本発明によれば、前記ローキャップの下部には作動突起の外側に案内管部を突設することにより、下部作動部材の挿入管部に挿入されて昇降案内作動し、前記案内管部の外側に上下方向の切欠溝を等角に形成して構成することにその特徴がある。
【発明の効果】
【００２３】
このような本発明は、外部容器と、外部容器の内部に上下移動可能に挿入される内部容器と、前記内部容器の内部に挿入され、外部容器に固定連結される内容物容器と、前記外部容器の上部に結合され、開閉具によって内容物供給孔を開閉する上部蓋と、前記外部容器の下部に上下移動可能に結合される下部受け台とを含んでなることにより、容器を床から持ち上げると、内部容器と下部受け台が下部に移動しながら上部蓋の開閉具が連動して内容物供給孔を自動開放し、使用後に容器を床に再び下ろすと、内部容器と下部受け台が上部に移動しながら上部蓋の開閉具が連動して内容物供給孔を自動閉鎖するので、別途蓋の開閉作動を行うことなく蓋を自動開閉して使用することができるので、使用上便利性だけでなく、衛生的に使用することができる優れた効果も有する。
【００２４】
また、前記下部受け台にロック機能を設けて外部容器を床から持ち上げても内部容器と下部受け台の移動による上部蓋の開閉具が自動開放作動することを制限して容器の携帯、保管の際に内容物の流出を防止して安全に使用することができるようにする効果を有する。
【００２５】
また、前記下部受け台の底部に吸着板を付加設置し、外部容器を床から持ち上げると吸着が自動解除され、床に再び下ろすと吸着が自動作動するため、使用上便利性だけでなく、容器が横になるか倒れて内容物が流出する恐れを防止する効果も有する。
【図面の簡単な説明】
【００２６】
【図１】本発明の容器の閉鎖状態を示す外観斜視図である。
【図２】図１の分解斜視図である。
【図３】図２の上部蓋の要部切欠分解斜視図である。
【図４】図２の下部受け台の要部切欠分解斜視図である。
【図５】図１の横断面構成図である。
【図６】図５の「Ａ」の部分拡大図である。
【図７】図５の「Ｂ」の部分拡大図である。
【図８】図１の一部切欠組立斜視図である。
【図９】本発明の容器の開放状態を示す外観斜視図である。
【図１０】図９の断面構成図である。
【図１１】図９の一部切欠組立斜視図である。
【発明を実施するための形態】
【００２７】
以下、本発明の好適な実施形態を添付図面を参照して具体的に説明する。
【００２８】
本発明に係る蓋自動開閉方式の容器１００は、図１乃至図１１に示すように、外部容器１０、内部容器２０、内容物容器３０、上部蓋４０および下部受け台５０から構成される。
【００２９】
前記外部容器１０は、中空の本体１１と、前記本体の上下に設けられる結合部１１ａ、１１ｂとを含んでなり、上部結合部１１ａには上部蓋４０が結合構成され、下部結合部１１ｂには下部受け台５０が結合構成される。
【００３０】
前記内部容器２０は、外部容器１０の内部に挿設され、前記外部容器１０と内部容器２０との間にテンション部材７０を挿設することで内部容器２０が上下に弾性移動可能に結合構成される。
【００３１】
すなわち、前記外部容器１０を床から持ち上げるとき、内部容器２０がテンション部材７０により下部に下降移動し、前記外部容器を床に下ろすとき、テンション部材７０を圧縮しながら上昇復帰するように構成される。
【００３２】
前記内容物容器３０は内部に内容物が充填される。前記内容物容器３０は、内部容器２０の内部に挿設され、上部には吐出口３２が突設され、下部にはローキャップ３５が結合構成される。
【００３３】
前記吐出口３２は、外部容器１０の上部中央の結合孔１２に挿入されて固定するように結合構成される。
【００３４】
前記上部蓋４０は、ドーム状構造で形成され、上部中央における吐出口３２の対応位置に穿設される内容物供給孔４２を有する本体４１と、前記本体の内容物供給孔の上部で内容物供給孔から外れる一側の下部に回転作動するように軸設される開閉具４３と、前記外部容器を床から持ち上げるとき、内部容器２０の下降と共に開閉具４３を下方向に軸回転させ、外部容器を床に下ろすとき、内部容器２０の上昇復帰と共に開閉具４３を上方向に軸回転させて内容物供給孔４２を開閉作動させる開閉具作動部４４とから構成される。
【００３５】
ここで、前記開閉具４３は、ドーム状構造を有する本体４１と同じ曲面で形成され、本体４１の上部から一側の下部に備えられるガイド溝部４１ｃに挿入案内されるように構成される。
【００３６】
また、前記開閉具作動部４４は、開閉具４３の回転中心位置に設けられた軸孔４３ａに軸ピン４３ｂを軸結合し、前記軸ピンには一側は本体４１に固定され且つ他側は開閉具４３に固定されるトーションばね４６を挿設することにより、開閉具４３が下方向に弾性回転作動するように構成される。
【００３７】
この際、前記開閉具４３の下部は、内部容器２０の上端のストッパ２３によって弾性支持されるように構成され、内部容器２０の下降及び上昇復帰に応じて下方向に軸回転し或いは上方向に軸回転しながら、内容物供給孔４２を自動で開閉作動させるように構成される。
【００３８】
また、前記開閉具４３には内容物供給孔４２の位置にシーリングキャップ４５を結合し、前記本体の内容物供給孔４２と内容物容器の吐出口３２にはシーリングキャップ４５と互いに気密作動するようにリング状のシーリング部材３３を挿入して結合構成される。
【００３９】
前記下部受け台５０は、外部容器の下部に固定結合される上部固定部材５１と、前記上部固定部材の下部に内部容器２０と共に上下移動可能に結合される下部作動部材５５とから構成される。
【００４０】
前記下部作動部材５５は、上部中央に挿入管部５６を設け、前記挿入管部の外側の円周上の等角な位置にガイド突起５７を設けることにより、前記上部固定部材５１の中央の挿入孔５２と挿入孔の外側の円周上に設けられたガイド孔５３に昇降案内されるように結合するが、前記ガイド突起の一側に突設されたストップ突起部５７ａと前記上部固定部材の内側の隔壁５４に垂直形成されてストップ突起部が垂直案内される垂直案内溝部５４ａによって昇降案内距離を制限するように構成される。
【００４１】
この時、前記垂直案内溝部５４ａの上部には、円周方向に水平延長されるロック溝５４ｂを連結形成し、下部作動部材５５の回転でストップ突起部５７ａをロック溝に挿入位置させることにより、上部固定部材と下部作動部材の昇降作動を制限するように構成される（ロック作動）。
【００４２】
すなわち、外部容器１０を床から持ち上げたりしても内部容器２０と下部受け台５０の下部作動部材５５が昇降作動しなくなり、開閉具４３が内容物供給孔４２を閉鎖状態に維持するようになる。
【００４３】
また、前記下部受け台５０の下部作動部材５５には底面に吸着板６１を組立設置するが、前記吸着板の上部中央に吸着孔６２を設けることにより、外部容器を床に下ろすときにローキャップ下部の作動突起３６が吸着孔６２に挿入されて吸着作動するか、外部容器を床から持ち上げるときにローキャップ下部の作動突起３６が吸着孔６２から離脱して吸着解除作動するように構成される。
【００４４】
この時、前記ローキャップ３５の下部には作動突起３６の外側に案内管部３７が突設され、該案内管部が下部作動部材の挿入管部５６に挿入されて昇降案内作動するが、前記案内管部３７の外側には上下方向に切欠溝３７ａが等角に形成されることにより、組立時には内外側に弾性作動して組立性が改善され、吸着または吸着解除時には外部空気が流入する。
【００４５】
前記吸着板６１は、下部から結合される結合具６５の結合突起６６が吸着板の組立孔６３、及び下部作動部材５５の挿入管部５６の下側円周上に設けられた結合溝５６ａに離脱防止されるように嵌められて固定結合するように構成される。
【００４６】
未説明符号として、３８ａ、３８ｂは、案内管部３７、挿入管部５６の端に離脱を防止するように係合される係止突起を示し、４１ａは軸ピン組立溝を示す。
【００４７】
次は、上述したように構成される本発明の作動および作用について考察する。
【００４８】
まず、本発明の容器を床に下ろすと、外部容器１０下部の下部受け台５０が床に安着する。
【００４９】
これと同時に、前記外部容器１０下部の下部受け台５０は、上部固定部材５１が外部容器の自重によって下部作動部材５５で下降移動する。
【００５０】
この時、前記上部固定部材５１の中央の挿入孔５２が下部作動部材５５の中央の挿入管部５６で下降案内され、前記挿入孔の外側の円周上のガイド孔５３に下部作動部材５５のガイド突起５７が下降案内される。
【００５１】
特に、前記上部固定部材５１は、ガイド突起の一側に突設されたストップ突起部５７ａが、上部固定部材内側の隔壁５４に垂直形成された垂直案内溝部５４ａにより案内される上下移動範囲で下降する。
【００５２】
これと同時に、前記外部容器１０が、内部容器２０との間に設置されているテンション部材７０を圧縮しながら下降移動する。
【００５３】
このように前記外部容器１０が下降移動しながら、内部容器の上部のストッパ２３に支持されている上部蓋の開閉具４３を上方向に押し上げることにより、前記開閉具４３が軸ピン４３ｂを中心に上方向に軸回転するのである。
【００５４】
この時、前記開閉具４３は、上部蓋の本体４１のガイド溝部４３ａに挿入案内されて軸回転する。
【００５５】
前記開閉具４３の上方向の軸回転によって、上部蓋の上部中央に設けられる内容物供給孔４２を閉鎖する。
【００５６】
この時、前記開閉具４３のシーリングキャップ４５が、内容物供給孔４２と内容物容器の吐出口３２に挿入されたリング状のシーリング部材３３と密着して内容物供給孔４２を気密に遮断する。
【００５７】
このように前記外部容器１０を床に下ろすことにより、上部蓋の開閉具４３が内容物供給孔４２を自動で閉鎖する。
【００５８】
これと共に、前記外部容器１０を床に下ろすときに外部容器１０と下部受け台の上部固定部材５１が下降案内されながら、外部容器の内部の内容物容器３０も共に下降移動する。
【００５９】
前記内容物容器の下部に結合されたローキャップ３５の下部の案内管部３７が下部作動部材の挿入管部５６に沿って下降案内移動しながら、前記ローキャップの案内管部３７の内部に突設された作動突起３６が、下部作動部材の底面に結合された吸着板６１の上部中央の吸着孔６２に挿入されて吸着板６１が吸着作動するようにする。
【００６０】
すなわち、前記外部容器１０を床に下ろすときに下部の吸着板６１が自動で吸着作動することにより、容器が外力によって倒れるおそれを防止する。
【００６１】
このような状態で容器内部の内容物を使用しようとする場合には、外部容器１０を握って床から再び持ち上げると、前述したように前記外部容器１０と内部容器２０との間に設置されたテンション部材７０の弾性力と内部容器２０および下部受け台の下部作動部材５５の自重によって、下部受け台の下部作動部材５５と内部容器２０が外部容器１０で下降移動する。
【００６２】
この時、前記上部固定部材５１の中央の挿入孔５２に下部作動部材５５の中央の挿入管部５６が案内され、前記挿入孔の外側の円周上に設けられたガイド孔５３に下部作動部材５５のガイド突起５７が下降案内される。
【００６３】
前記下部作動部材５５は、ガイド突起の一側に突設されたストップ突起部５７ａが、上部固定部材の内側の隔壁５４に垂直形成された垂直案内溝部５４ａにより案内される上下移動範囲に下降間隔を制限する。
【００６４】
これと同時に、前記内容物容器の下部に結合されたローキャップ３５の下部の案内管部３７で下部作動部材の挿入管部５６が下降案内移動しながら、前記案内管部３７の内部に突設された作動突起３６が吸着板６１の上部中央の吸着孔６２に挿入された状態で離脱して吸着板６１の吸着作動が自動解除されることにより、外部容器を床から簡単に持ち上げることができる。
【００６５】
この時、前記案内管部３７の外側に上下方向に設けられた切欠溝３７ａによって挿入管部５６の内部に空気を流通させ、作動突起３６が吸着板の上部中央の吸着孔６２から簡単に離脱する。
【００６６】
すなわち、前記外部容器１０を床から持ち上げるときに下部吸着板６１の吸着作動が自動解除されながら、容器を簡単に持ち上げる。
【００６７】
このように前記外部容器１０を床から持ち上げて内部容器２０がテンション部材７０により下降移動案内されると、前記内部容器の上部ストッパ２３に支持されている上部蓋の開閉具４３が開閉具作動部４４によって下方向に軸回転する。
【００６８】
これは、前記開閉具４３が軸孔４３ａに軸結合された軸ピン４３ｂを中心に軸回転するが、前記軸ピンに挿入され、一側は上部蓋の本体４１に固定され且つ他側は開閉具４３に固定されるトーションばね４６の弾性力によって下方向に軸回転するのである。
【００６９】
この時、前記開閉具４３は、上部蓋の本体４１に設けられたガイド溝部４３ａに挿入案内されて軸回転する。
【００７０】
このように前記開閉具４３が下方向に軸回転しながら、前記開閉具によって遮断されていた内容物供給孔４２を自動開放する。
【００７１】
すなわち、ユーザーは、外部容器１０を床から持ち上げることによって内容物供給孔４２を自動開放して内容物を簡単に取り出して使用する。
【００７２】
一方、本発明の容器を携帯、保管する場合に上部蓋の開閉具４３が自動で開閉作動しないようにするためにロック作動する。
【００７３】
これは、外部容器１０を下方に押すか或いは外部容器の下側の下部受け台５０で下部作動部材５５を上方に押して、前記下部作動部材５５が上部固定部材５１で上昇するように移動させる。
【００７４】
この時、前記下部作動部材５５のガイド突起の一側に突設されたストップ突起部５７ａが、上部固定部材の内側の隔壁５４に垂直形成された垂直案内溝部５４ａに沿って昇降移動する。
【００７５】
この状態で前記下部作動部材５５を上部固定部材５１で一方向に回転させて、ストップ突起部５７ａを、垂直案内溝部５４ａの上部に円周方向に水平延長されるロック溝５４ｂに挿入すると、前記上部固定部材と下部作動部材の昇降作動を制限するのである（ロック作動状態）。
【００７６】
この時、前記上部蓋の開閉具４３は、前述したように水平移動して内容物供給孔４２を閉鎖状態に維持する。
【００７７】
すなわち、前記ロック作動状態では、外部容器１０を床から持ち上げたり下ろしたりすることによって、内部容器２０と下部受け台５０の下部作動部材５５が昇降作動しなくなり、開閉具４３が内容物供給孔４２の閉鎖状態を維持するので、容器をカバンなどの内部に安全に携帯、保管するのである。
【００７８】
したがって、本発明は、外部容器と、外部容器の内部に上下移動可能に挿入される内部容器と、前記内部容器の内部に挿入され、外部容器に固定連結される内容物容器と、前記外部容器の上部に結合され、開閉具によって内容物供給孔を開閉する上部蓋と、前記外部容器の下部に結合され、上下移動可能に結合される下部受け台とを含んでなることにより、容器を床から持ち上げると、内部容器と下部受け台が下部に移動しながら上部蓋の開閉具が連動して内容物供給孔を自動開放し、使用後に容器を床に再び下ろすと、内部容器と下部受け台が上部に移動しながら上部蓋の開閉具が連動して内容物供給孔を自動閉鎖するので、別途の蓋の開閉作動を行うことなく蓋を自動開閉して使用することができるため、使用上便利性を有するうえ、衛生的に使用することができる。
【００７９】
本発明は、添付図面を参照して説明したが、これに限定されるものではなく、下記特許請求の範囲から外れない範囲内で多様な修正および変更を加え得るのは勿論である。
【図１】
2019535599.tif 000003
【図２】
2019535599.tif 000004
【図３】
2019535599.tif 000005
【図４】
2019535599.tif 000006
【図５】
2019535599.tif 000007
【図６】
2019535599.tif 000008
【図７】
2019535599.tif 000009
【図８】
2019535599.tif 000010
【図９】
2019535599.tif 000011
【図１０】
2019535599.tif 000012
【図１１】
2019535599.tif 000013
【国際調査報告】
2019535599.tif 000014
2019535599.tif 000015
2019535599.tif 000016
2019535599.tif 000017